(57)【要約】【課題】選択されたボタンをユーザが容易に認識することができる画像表示装置、ボタン表示方法を提供する。【解決手段】本実施形態に係る画像表示装置１００は、項目を表示画面部１７０に表示する表示部と、表示画面部１７０の反射情報を取得する反射情報取得部１１０と、表示画面部１７０上における照度を取得する表示画面照度取得部１２０と、項目の中からユーザ操作による項目の選択を受け付ける項目選択部１３０と、その選択された項目に割り当てられた選択色を示すハイライト表示情報と、その項目の位置情報とを含むボタン情報を取得するボタン情報取得部１４０と、取得したハイライト表示情報と取得した照度が示す照度情報とに基づいて、その選択色と照度情報との合成によって得られる色情報とは異なる色情報を算出する補色算出部１５０と、算出した異なる色情報が施されたＯＳＤ表示を、ハイライト表示に重ねて貼付する表示幕貼付部１６０と、を備える。【選択図】  図４
2014048478.tif 000002
【特許請求の範囲】
【請求項１】
項目を表示画面に表示する表示部と、
前記表示画面上から反射された表示画面の反射情報を取得する反射情報取得部と、
前記反射情報から前記表示画面上における照度を取得する表示画面照度取得部と、
前記表示されている項目の中からユーザ操作による項目の選択を受け付ける項目選択部と、
前記項目の選択を受け付けると、その選択された項目に割り当てられた選択色を示すハイライト表示情報と、その項目の位置情報とを含むボタン情報を取得するボタン情報取得部と、
前記取得したハイライト表示情報と前記取得した照度が示す照度情報とに基づいて、その選択色と照度情報との合成によって得られる色情報とは異なる色情報を算出する補色算出部と、
前記算出した異なる色情報が施された表示幕を、前記取得した位置情報が示す項目のハイライト表示に重ねて貼付する表示幕貼付部と、
を備える画像表示装置。
【請求項２】
前記補色算出部は、
前記合成によって示される色情報と色相環において略正反対となる色情報を、前記異なる色情報として算出する
請求項１に記載の画像表示装置。
【請求項３】
前記補色算出部は、
前記算出した異なる色情報の所定の波長範囲を算出し、
前記表示幕貼付部は、
前記項目が選択された経過時間に応じて、前記算出した所定の波長範囲において色情報を変更し、前記表示幕を前記ハイライト表示に重ねて貼付する
請求項１または２に記載の画像表示装置。
【請求項４】
前記補色算出部は、
車内の温度に基づいて、寒暖色を示す色情報を用いて前記異なる色情報を算出し、
前記表示幕貼付部は、
前記算出した異なる色情報が施された表示幕を、前記取得した位置情報が示す項目のハイライト表示に重ねて貼付する
請求項１から３のいずれか１項に記載の画像表示装置。
【請求項５】
項目を表示画面に表示する表示部を備える画像表示装置のボタン表示方法であって、
前記表示画面上から反射された表示画面の反射情報を取得する反射情報取得ステップと、
前記反射情報から前記表示画面上における照度を取得する表示画面照度取得ステップと、
前記表示されている項目の中からユーザ操作による項目の選択を受け付ける項目選択ステップと、
前記項目の選択を受け付けると、その選択された項目に割り当てられた選択色を示すハイライト表示情報と、その項目の位置情報とを含むボタン情報を取得するボタン情報取得ステップと、
前記取得したハイライト表示情報と前記取得した照度が示す照度情報とに基づいて、その選択色と照度情報との合成によって得られる色情報とは異なる色情報を算出する補色算出ステップと、
前記算出した異なる色情報が施された表示幕を、前記取得した位置情報が示す項目のハイライト表示に重ねて貼付する表示幕貼付ステップと、
を含むボタン表示方法。
【発明の詳細な説明】
【技術分野】
【０００１】
本発明の実施形態は、画像表示装置およびボタン表示方法に関する。
【背景技術】
【０００２】
近年、ＤＶＤ−Ｖｉｄｅｏ（Digital Versatile Disk-Video）形式で光ディスク（例えば、ＤＶＤ（Digital Versatile Disk：登録商標））に記録された映像を再生するＤＶＤ再生装置やテレビジョン放送を表示する映像表示装置などの画像表示装置が、車両に載置されている。
【０００３】
これらの画像表示装置が車両に載置された場合に、日中は光の反射によって表示画面が見づらくなることが経験的に知られている。また、夜間や早朝は周囲が暗く室内灯の反射の関係で表示画面が見づらくなることも経験的に知られている。
【０００４】
そこで、予め選択された明るさの設定値と、周囲の明るさを検出する明るさセンサとの検出値に基づいて、テレビジョン受像機に表示される表示領域の画面サイズを切り替えるテレビジョン受像機が開示されている（特許文献１参照）。
【先行技術文献】
【特許文献】
【０００５】
【特許文献１】特開２００８−２３６２９９号公報
【発明の概要】
【発明が解決しようとする課題】
【０００６】
しかしながら、上述のテレビジョン受像機では、明るさに応じて表示領域の画面サイズを変更しているため、例えば、周囲が明るすぎる場合には表示領域の画面サイズを大きい画面サイズから小さい画面サイズに変更しても、表示領域自体が明るい状態であるため、見づらい状況には変わりがない。
【０００７】
すなわち、明るさに応じて表示領域の画面サイズを変更するテレビジョン受像機では、そのテレビジョン受像機全体に対して周囲が明るすぎる場合には、画面サイズを変更しても表示画面自体の見づらい状態は改善されず、表示領域に表示される表示内容は見づらいままであった。
【課題を解決するための手段】
【０００８】
本実施形態に係る画像表示装置は、項目を表示画面に表示する表示部と、表示画面上から反射された表示画面の反射情報を取得する反射情報取得部と、反射情報から前記表示画面上における照度を取得する表示画面照度取得部と、表示されている項目の中からユーザ操作による項目の選択を受け付ける項目選択部と、項目の選択を受け付けると、その選択された項目に割り当てられた選択色を示すハイライト表示情報と、その項目の位置情報とを含むボタン情報を取得するボタン情報取得部と、取得したハイライト表示情報と取得した照度が示す照度情報とに基づいて、その選択色と照度情報との合成によって得られる色情報とは異なる色情報を算出する補色算出部と、算出した異なる色情報が施された表示幕を、取得した位置情報が示す項目のハイライト表示に重ねて貼付する表示幕貼付部と、を備える。
【図面の簡単な説明】
【０００９】
【図１】本実施形態に係る画像表示装置の構成を示すハードウエアブロック図。
【図２】本実施形態に係る操作部が、表示部に表示されたタイトルメニューを選択する場合について説明する説明図。
【図３】本実施形態に係る操作部が、表示部に表示されたルートメニューを選択する場合について説明する説明図。
【図４】本実施形態に係る画像表示装置の構成を示した機能ブロック図。
【図５】本実施形態に係る画像表示装置が、選択された項目に対してＯＳＤ表示を貼付するＯＳＤ貼付処理を示したフローチャート。
【図６】本実施形態に係る表示幕貼付部が、表示部の表示画面部上に表示された項目に、ＯＳＤ表示を重ねて貼付する際の説明図。
【発明を実施するための形態】
【００１０】
本実施形態に係る画像表示装置１００は、画像表示装置１００が表示する項目についてユーザ操作によって選択されたことを示すハイライト表示をする際に、周囲が明るい場合であっても、その項目が選択されたことを明確に視認させる装置である。
【００１１】
本実施形態に係る画像表示装置１００の特徴を明確にするために、まず、本実施形態に係る画像表示装置１００が従来技術と共通するボタンの操作方法について、以下に、添付図面を参照して説明する。
【００１２】
なお、本実施形態に係る画像表示装置１００は、ボタンの操作方法の例として、ＤＶＤ−Ｖｉｄｅｏ（Digital Versatile Disk-Video）形式で光ディスク（例えば、ＤＶＤ（Digital Versatile Disk：登録商標））に記録された映像を再生する、ＤＶＤ再生装置を想定して説明することにする。
【００１３】
図１は、本実施形態に係る画像表示装置１００の構成を示すハードウエアブロック図である。
【００１４】
図１に示すように、画像表示装置１００は、ＣＰＵ（Central Processing Unit）１９０、ＲＯＭ（Read Only Memory）１９１、ＲＡＭ（Random Access Memory）１９２、操作部１９３、記憶部１９４、表示部１９５、内部バス１９６などを備えて構成されている。
【００１５】
ＣＰＵ１９０は、画像表示装置１００全体の統括制御を行っており、ＲＯＭ１９１に格納されている各種プログラムや各種データをＲＡＭ１９２にロードしてそのプログラムを展開することにより、各種プログラムの機能を実現するようになっている。
【００１６】
ＲＡＭ１９２は、ワークエリア（作業用メモリ）として利用されるようになっている。ＲＯＭ１９１は、各種プログラムや各種データを格納するようになっている。ＲＯＭ１９１に格納されている各種プログラムには、ＤＶＤ−Ｖｉｄｅｏ形式で記録されたＤＶＤを再生するプログラム、ＤＶＤに記録されている項目をハイライト表示するプログラムなどが含まれる。
【００１７】
操作部１９３は、ユーザからの各種の操作（ユーザ操作）を受け付けて、ＣＰＵ１９０に通知する機能を有している。この操作部１９３は、例えば、画像表示装置１００の操作や項目を選択するための操作信号を送信するリモートコントローラ（remote controller）や、画像表示装置１００に備え付けられたユーザが上下左右方向を選択する操作ボタンなどによって構成される。なお、リモートコントローラは、各項目を選択する操作ボタンを備えているものとする。
【００１８】
記憶部１９４は、大容量不揮発の記憶装置であり、動画や静止画などの映像を保存したり、文字情報を保存するようになっている。本実施形態では、ＤＶＤが所定の挿入口に挿入されることにより記憶部を構成するようになっている。また、ハードディスク（Hard Disk）に映像や文字などを格納することにより、記憶部１９４を構成することもできる。
【００１９】
表示部１９５は、ＤＶＤにコンテンツとして記録されている映像、各種操作画面、案内画面などをユーザインターフェースとして表示する機能を有している。表示部１９５は、例えば、液晶ディスプレイ（ＬＣＤ：Liquid Crystal Display）などにより構成される。なお、コンテンツとは、ＤＶＤに記録された内容であって、ユーザが表示部１９５で観賞可能な情報のことをいい、例えば、映像、画像、音楽、文字またはこれらの組み合わせなどが該当する。
【００２０】
内部バス１９６は、画像表示装置１００を統括制御するＣＰＵ１９０に接続されるとともに、各構成要素を相互に接続するためのバスである。
【００２１】
このような構成により、本実施形態では、画像表示装置１００は、ＲＯＭ１９１に格納されている各種のプログラムをＣＰＵ１９０が実行することができ、記憶部１９４を構成するＤＶＤから、そのＤＶＤのコンテンツとして記録されているボタン情報を取得して、ユーザが選択した項目を表示部１９５にハイライト表示（強調表示）させるようになっている。
【００２２】
例えば、ＤＶＤ−Ｖｉｄｅｏ形式の場合、２種類のメニューを有しており、「タイトルメニュー」と「ルートメニュー」を有している。タイトルメニューでは、操作部１９３を構成するリモートコントローラに設けられた「トップメニュー」というボタンがユーザによって押下操作されることにより、予め登録されているタイトルの選択を行うことができるようになっている。また、ルートメニューでは、リモートコントローラに設けられた「メニュー」というボタンがユーザによって押下操作されることにより、予め登録されているメニューの選択を行うことができるようになっている。
【００２３】
これらのタイトルの選択やメニューの選択は、リモートコントローラに設けられた項目を選択する操作ボタンが操作されることにより、行われるものとする。
【００２４】
図２は、本実施形態に係る操作部１９３が、表示部１９５に表示されたタイトルメニューを選択する場合について説明する説明図である。
【００２５】
図２に示すように、タイトルメニューでは、３つのタイトルの中から１つのタイトルの選択を行うようになっている。具体的には、１．本編再生、２．メイキング、３．ＮＧ集という３つタイトルから構成されている。
【００２６】
表示部１９５の表示画面にはハイライト（強調）表示された矩形領域があり、この矩形領域をボタンという。ユーザは、操作部１９３であるリモートコントローラの操作ボタンを操作して、表示部１９５の表示画面上で選択されるボタンを移動させることにより、１から３のタイトルを選択することができる。
【００２７】
なお、タイトルが選択されると、ハイライト表示されたボタンは、タイトルが選択されたことを示す選択色に変更される。そして、選択色の状態でボタンが押下操作されると、そのボタンが決定されたことを示す決定色に変更され、そのタイトル（項目）が実行される。例えば、図２の場合には、１．本編再生が選択されており、ユーザによる操作ボタンの押下操作によって本編の再生が開始される。
【００２８】
図３は、本実施形態に係る操作部１９３が、表示部１９５に表示されたルートメニューを選択する場合について説明する説明図である。
【００２９】
図３に示すように、図３（Ａ）のルートメニューでは、４つのルート（項目）の中から１つのルートの選択を行うようになっている。具体的には、１．オーディオメニュー、２．サブピクチャメニュー、３．アングルメニュー、４．チャプターメニューという４つのルートから構成されている。ユーザは、表示画面上でハイライト表示されたボタンを操作部１９３の操作ボタンによって選択することにより、４のルートの中から項目を選択することができる。
【００３０】
図３（Ｂ）では、オーディメニューが選択された場合の表示項目を示している。具体的には、１．日本語（ステレオ）、２．日本語（５．１ｃｈサラウンド）、３．英語（ステレオ）、４．英語（５．１ｃｈサラウンド）が表示されている。
【００３１】
また、図３（Ｃ）では、サブピクチャーが選択された場合の表示項目を示している。具体的には、１．日本語、２．英語が表示されている。
【００３２】
また、図３（Ｄ）では、アングルメニューが選択された場合の表示項目を示している。具体的には、アングル１と、アングル２が表示されている。
【００３３】
また、図３（Ｅ）では、チャプターメニューが選択された場合の表示項目を示している。具体的には、チャプター１から１２が選択可能に表示され、例示として、チャプター１とチャプター２のサムネイル画像が表示されている。
【００３４】
本実施形態では、図３（Ａ）において、１から４のいずれかのルート（項目）が選択されると、対応するメニュー表示（例えば、図３（Ｂ）から（Ｅ））に移動する。例えば、その各メニュー表示において、表示項目を選択するとその表示項目がハイライト表示され、その選択された表示項目（ボタン）が操作ボタンにより押下操作されると、ハイライト表示されたボタンは、選択されたことを示す選択色に変更される。また、選択色の状態でボタンが押下操作されると、そのボタンが決定されたことを示す決定色に変更され、その表示項目が実行される。
【００３５】
本実施形態に係る画像表示装置１００は、このような構成に加えて、さらに画像センサ１９７（図１）を備えることを特徴としている。
【００３６】
画像センサ（反射情報取得部）１９７は、表示部１９５に設けられた表示画面上から反射された表示画面の反射情報を取得するようになっている。例えば、画像センサ１９７は、車両に設けられたセンサやカメラによって構成されており、表示画面上から反射された反射情報を取得するようになっている。
【００３７】
本実施形態に係る画像表示装置１００は、画像センサ１９７をさらに備えることにより、表示部１９５上の表示画面に表示された表示項目（単に項目ともいう。）が、光の反射などにより表示画面が見づらい状態になった場合でも、選択された項目に、さらにＯＳＤ（On Screen Display）表示（表示幕）を重ねて表示するようになっている。
【００３８】
図４は、本実施形態に係る画像表示装置１００の構成を示した機能ブロック図である。
【００３９】
図４に示すように、本実施形態に係る画像表示装置１００は、反射情報取得部１１０、表示画面照度取得部１２０、項目選択部１３０、ボタン情報取得部１４０、補色算出部１５０、表示幕貼付部１６０、表示画面部１７０、ボタン情報データベース１８０を備えて構成されている。
【００４０】
表示画面部１７０は、表示部１９５によって項目を表示する表示画面を形成するようになっている。
【００４１】
反射情報取得部１１０は、表示画面部１７０上から反射された反射情報を取得するようになっている。なお、本実施形態では、画像センサ１９７によって反射情報取得部１１０が構成されている。
【００４２】
表示画面照度取得部１２０は、取得した反射情報に基づいて、表示画面部１７０上における照度（表示画面上での光の明るさ）を取得するようになっている。
【００４３】
項目選択部１３０は、表示画面部１７０に表示されている項目の中から、操作部１９３の操作ボタンによって、ユーザ操作による項目の選択を受け付けるようになっている。
【００４４】
ボタン情報取得部１４０は、項目の選択を受け付けると、その選択された項目に割り当てられた選択色を示すハイライト表示情報と、その項目の位置情報とを含むボタン情報を取得するようになっている。なお、ＤＶＤ−Ｖｉｄｅｏ形式の場合、ボタン情報やハイライト情報は、データ記録構造において規定されている。また、ＤＶＤ−Ｖｉｄｅｏの規格や形式に限定されるものではなく、ハイライト表示の色情報、項目が位置する位置情報、ハイライト表示を行う表示時間情報などを取得することができるものとする。
【００４５】
補色算出部１５０は、取得したハイライト表示情報（すなわち選択色）と取得した表示画面部１７０上における照度が示す照度情報とに基づいて、その選択色と照度情報との合成によって示される色情報とは異なる色情報を算出するようになっている。具体的には、補色算出部１５０は、合成によって示される色情報とは、色相環において略正反対となる色情報を、異なる色情報として算出するようになっている。
【００４６】
例えば、補色算出部１５０は、選択色と照度情報とに基づいて、選択色が黄色であり、照度情報が非常に明るいことを示す状態の場合には、色相環において略正反対の青色が補色として算出され、照度情報が示す明るさに応じて、その青色が非常に暗い紺色を色情報として算出するようになっている。また、例えば、補色算出部１５０は、選択色と照度情報とに基づいて、選択色が赤色であり、照度情報がやや暗いことを示す状態の場合には、色相環において略正反対の水色が補色として算出され、照度情報が示す明るさに応じて、その水色がやや明るい水色を色情報として算出するようになっている。
【００４７】
このように、補色算出部１５０は、選択色が示すハイライト表示の色情報とは略反対色の補色を算出するとともに、照度情報が示す照度に応じて、照度が明るい状態の場合には暗い色情報を算出し、一方、照度が暗い状態の場合には明るい色情報を算出するようになっている。
【００４８】
なお、照度情報とは、表示画面部１７０上から反射された照度が示す明るさによって、明暗が表現される程度（尺度）を意味するものとし、さらに彩度を示す彩度情報や輝度を示す輝度情報を加えるようにしてもよい。
【００４９】
表示幕貼付部１６０は、算出した異なる色情報が施されたＯＳＤ（On Screen Display）表示（表示幕）を、取得した位置情報が示す項目のハイライト表示に重ねて貼付するようになっている。
【００５０】
ボタン情報データベース１８０は、項目に割り当てられたハイライト表示情報やボタン位置情報などを含むボタン情報を格納するようになっている。具体的には、ＤＶＤ−Ｖｉｄｅｏの場合、項目ごとにボタンの位置や色情報などが製造者の意図によって定義されており、ＤＶＤに記録されているボタン情報によってボタン情報データベース１８０が構成されるようになっている。
【００５１】
次に、本実施形態に係る画像表示装置１００の動作について説明する。
【００５２】
（ＯＳＤ表示貼付処理）
図５は、本実施形態に係る画像表示装置１００が、選択された項目に対してＯＳＤ表示を貼付するＯＳＤ貼付処理を示したフローチャートである。図５において、Ｓに数字を付した符号は、シーケンス図の各ステップを示している。
【００５３】
まず、ステップＳ００１では、ＤＶＤが画像表示装置１００に挿入されると、反射情報取得部１１０は、表示画面部１７０上から反射された反射情報を取得する。
【００５４】
ステップＳ００３では、表示画面照度取得部１２０は、取得した反射情報に基づいて、表示画面部１７０上における照度を取得する。
【００５５】
ステップＳ００５では、項目選択部１３０は、表示画面部１７０に表示されている項目の中から、操作部１９３の操作ボタンによって、ユーザ操作による項目の選択を受け付ける。
【００５６】
ステップＳ００７では、ボタン情報取得部１４０は、ユーザ操作による項目の選択を受け付けると、その選択された項目に割り当てられた選択色を示すハイライト表示情報と、その項目の位置情報とを含むボタン情報を、ボタン情報データベース１８０（ＤＶＤ）から取得する。
【００５７】
ステップＳ００９では、補色算出部１５０は、取得したハイライト表示情報と取得した表示画面部１７０上における照度が示す照度情報とに基づいて、その選択色と照度情報との合成によって得られる色情報とは異なる色情報を算出する。具体的には、補色算出部１５０は、合成によって示される色情報と色相環において略正反対となる色情報を、異なる色情報として算出する。
【００５８】
ステップＳ０１１では、表示幕貼付部１６０は、算出した色情報が施されたＯＳＤ表示（表示幕）を、取得した位置情報が示す項目のハイライト表示に重ねて貼付する。ここで、算出した色情報が施されたＯＳＤ表示をハイライト表示に重ねて貼付する貼付方法について、図面を用いて説明する。
【００５９】
図６は、本実施形態に係る表示幕貼付部１６０が、表示部１９５の表示画面部１７０上に表示された項目に、ＯＳＤ表示を重ねて貼付する際の説明図である。
【００６０】
図６に示すように、表示部１９５の表示画面部１７０に、チャプターメニュー、特典メニュー、音声メニュー、字幕メニューおよび本編スタートが表示されている。
【００６１】
また、チャプターメニューには、ボタン情報が示すハイライト表示の上から、ＯＳＤ表示２００が重ねて表示されている。ここで、このＯＳＤ表示２００には、チャプターメニューのハイライト表示情報（選択色）と表示画面部１７０上の照度情報とに基づいて、合成される色情報とは色相環において略正反対となる色情報が示す色が施されている。
【００６２】
このため、本実施形態に係る画像表示装置１００は、ＯＳＤ表示２００をハイライト表示に重ねて貼付することにより、車内の表示部１９５の表示画面部１７０が見づらくなっている場合でも、その選択された項目をユーザに容易に認識させることができる。また、ユーザが操作ボタンにより項目を選択する度に、ハイライト表示情報（選択色）と表示画面部１７０上の照度情報とに基づいて、合成される色情報とは略正反対となる色情報をＯＳＤ表示に施すことができるので、ユーザは、ユーザ操作によるボタンの移動位置を、容易に認識することができる。
【００６３】
例えば、補色算出部１５０は、ハイライト表示情報が示す選択色と照度情報とに基づいて、ハイライト表示情報が示す選択色が黄色であり、照度情報が非常に明るいことを示す状態の場合には、色相環において略正反対の青色が補色として算出され、照度情報が非常に明るいので、補色の青色が非常に暗い紺色を色情報として算出する。
【００６４】
また、例えば、補色算出部１５０は、ハイライト表示情報が示す選択色と照度情報とに基づいて、ハイライト表示情報が示す選択色が赤色であり、照度情報がやや暗いことを示す状態の場合には、色相環において略正反対の水色が補色として算出され、照度情報がやや暗いので、補色の水色がやや明るい水色を色情報として算出する。
【００６５】
このように、補色算出部１５０は、選択色が示すハイライト表示の色情報とは略反対色の補色を算出するとともに、照度情報が示す照度に応じて、照度が明るい状態の場合には暗い色情報を算出し、一方、照度が暗い状態の場合には明るい色情報を算出する。
【００６６】
そして、表示幕貼付部１６０は、算出した色情報が施されたＯＳＤ表示（表示幕）を、取得した位置情報が示す項目のハイライト表示に重ねて貼付する。
【００６７】
以上説明したように、本実施形態に係る画像表示装置１００は、表示部１９５の表示画面部１７０上から反射された反射情報を取得して照度を取得する。画像表示装置１００は、表示画面部１７０上で選択された項目に割り当てられたハイライト表示情報とその項目の位置情報とを含むボタン情報を取得する。画像表示装置１００は、ハイライト表示情報と表示画面部１７０上における照度情報とに基づいて、その選択色と照度情報との合成によって示される色情報とは色相環において異なる色情報を算出する。
【００６８】
これにより、本実施形態に係る画像表示装置１００は、選択色と照度情報との合成によって示される色情報とは色相環において異なる色情報が施されたＯＳＤ表示を、選択されたハイライト表示する項目に貼付することができる。
【００６９】
このように、本実施形態に係る画像表示装置１００によれば、光の反射などにより表示画面部１７０が見づらい状態だったとしても、色相環において異なる色情報が施されたＯＳＤ表示をハイライト表示する項目に重ねて表示することができるので、その項目の位置をユーザに容易に認識することができる。
【００７０】
したがって、本実施形態に係る画像表示装置１００は、車内の明るさや光の反射の影響を受ける場合でも、表示部１９５の表示画面部１７０の照度が示す照度情報と項目が選択されたことを示すハイライト情報（選択色）とに基づいて、選択された項目にＯＳＤ表示を貼付することができるので、選択された項目をユーザに確実に視認させることができる。
【００７１】
なお、本実施形態では、表示幕貼付部１６０は、略正反対となる色情報が施されたＯＳＤ表示を、選択された項目（ハイライト表示された項目）に重ねて表示するようになっていたが、これに限定されるものではない。例えば、項目に割り当てられたハイライト情報に表示時間が設けられている場合には、その割り当てられた表示時間内だけＯＳＤ表示を貼付するようにしてもよい。また、表示幕貼付部１６０は、経過時間に応じて、略正反対となる色情報を変更するようにしてもよい。
【００７２】
具体的には、補色算出部１５０は、算出した略正反対となる色情報の所定の波長範囲を算出し、表示幕貼付部１６０は、項目が選択された経過時間に応じて、算出した所定の波長範囲において色情報を変更しつつ、ハイライト表示を行う項目にＯＳＤ表示を貼付するようにしてもよい。この場合、表示幕貼付部１６０は、所定の波長範囲において色情報を変更してＯＳＤ表示を貼付することにより、色相スケールやスペクトルによる色表示を行うことができる。
【００７３】
また、補色算出部１５０は、色情報を算出する際、車内の温度に応じて、寒暖色を示す色情報によって異なる色情報、例えば、略正反対となる色情報を算出するようにしてもよい。この場合も同様に、表示幕貼付部１６０は、算出した色情報が施されたＯＳＤ表示を、ハイライト表示を行う項目に重ねて貼付することができる。
【００７４】
補色算出部１５０は、寒暖色を示す色情報を用いることにより、車内の温度と体感温度をリンクさせることができるので、ユーザはより一層、ハイライト表示されている項目を認識し易くなる。
【００７５】
また、本実施形態に係る表示画面照度算出部１２０は、図５で示したフローチャートのステップＳ００３において、取得した反射情報に基づいて、表示画面部１７０上における照度を取得するようになっていたが、これに限定されるものではない。
【００７６】
具体的には、表示画面照度算出部１２０は、照度以外に濃淡比もさらに算出するようにしてもよい。また、照度が示す明暗比と濃淡比を組み合わせて算出し、これらを照度情報に含めるようにしてもよい。この結果、ハイライト表示情報と照度情報との合成によって示される色情報に色のバリエーションが増えるので、ＯＳＤ表示に施す異なる色情報を増やすことができる。
【００７７】
また、本実施形態に係る画像表示装置１００は、ＤＶＤ−Ｖｉｄｅｏ形式を用いた場合について説明したが、これに限定されるものではなく、選択された項目の位置情報およびハイライト表示情報を有する形式・規格であれば、本実施形態に係る画像表示装置１００を適用することができる。
【００７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００７９】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００８０】
１００  画像表示装置
１１０  反射情報取得部
１２０  表示画面照度取得部
１３０  項目選択部
１４０  ボタン情報取得部
１５０  補色算出部
１６０  表示幕貼付部
１７０  表示画面部
１８０  ボタン情報データベース
１９０  ＣＰＵ
１９１  ＲＯＭ
１９２  ＲＡＭ
１９３  操作部
１９４  記憶部
１９５  表示部
１９６  内部バス
１９７  画像センサ
２００  ＯＳＤ表示（表示幕）
【図１】
2014048478.tif 000003
【図２】
2014048478.tif 000004
【図３】
2014048478.tif 000005
【図４】
2014048478.tif 000006
【図５】
2014048478.tif 000007
【図６】
2014048478.tif 000008